(57)【特許請求の範囲】
【請求項１】
マンホールの入口部に着脱自在に設置される第１蓋部と、この第１蓋部に形成した開口部に着脱自在に設置される第２蓋部とを備え、
前記第２蓋部を開蓋することにより、前記開口部を排便口とし、
前記第１蓋部に、起立した状態から折り畳み可能なきんかくしを設けたことを特徴とする非常用トイレ。
【請求項２】
前記きんかくしは、下端を軸で第１蓋部に軸支してあることを特徴とする請求項１記載の非常用トイレ。
【請求項３】
前記開口部の周囲に顎部を形成し、この顎部上に第２蓋部を載置し、前記開口部には複数条の金具を設け、
前記きんかくしは、きんかくしを折り畳んだ状態では前記金具に当接した状態にて、前記顎部よりも低位置となることを特徴とする請求項１又は２に記載の非常用トイレ。
【発明の詳細な説明】
【０００１】
【発明の属する技術分野】
本発明は、災害時等に使用される非常用トイレに関する。
【０００２】
【従来の技術】
一般に、災害時等において応急的に設置される非常用トイレは、扉を有する個室空間を形成する箱体と、この箱体内の床部分に設けた便器と、便器下方に設けたタンクとを備える構造となっている。そして、タンクに溜めた屎尿はバキュームカーによりくみ取りされ、再度使用される。
【０００３】
【発明が解決しようとする課題】
ところが、大震災のように大規模な災害が発生した場合には、この種の簡易トイレを各所に配置することすら困難であるのに加えて、被災者が莫大な数にのぼり、住民の排便に支障が出る虞れがある。
【０００４】
このような場合、仮に予め用意した簡易トイレを設置することができたとしても、用意できる数には限界があるとともに交通の復旧には日数がかかることからして、バキュームカーが運行できず、少ない便槽容量では短期間で使用不能となってしまう。
【０００５】
このように、大規模災害が起きたときは、トイレ問題は衣食住問題とともに深刻かつ緊急な問題となる。
本発明は前記事項に鑑みなされたものであり、少ないメンテナンスにて長期間使用可能な災害用トイレを提供することを技術的課題とする。
【０００６】
また、簡易に設置できる災害用トイレを提供することを技術的課題とする。
さらに、低コストの災害用トイレを提供することを技術的課題とする。
また、使用者が容易に利用できる災害用トイレを提供することを技術的課題とする。
【０００７】
【課題を解決するための手段】
本発明は非常用トイレであり、前述した技術的課題を解決するために以下のように構成されている。
【０００８】
すなわち、マンホール３０の入口部３３に着脱自在に設置される蓋部３，１０を設け、この蓋部３，１０を開蓋することにより、前記入口部３３を排便口とするトイレにおいて、前記入口部３３の周囲を覆う遮蔽部５を設け、この遮蔽部５内をトイレスペースとする非常用トイレとした。
【０００９】
前記遮蔽部５は、前記蓋部３側に設けた支持部６と、この支持部６に支持される柱部７と、前記柱部７の上部に設けた屋根部８と、この屋根部８から垂下されるシート部９と、を有する構造にすることができる。
【００１０】
前記支持部６を、前記蓋部３側に設けず、前記蓋部３の外方に設けることもできる。この場合、前記支持部６は、例えば、マンホールの入口部３３の近傍の路面に設けることができる。
【００１１】
前記支持部６を、前記柱部７の下端が内嵌する支持孔（６）としてもよい。
また、本発明は、マンホール３０の入口部３３に着脱自在に設置される第１蓋部３と、この第１蓋部３に形成した開口部４に着脱自在に設置される第２蓋部１０とを備え、前記第２蓋部１０を開蓋することにより、前記開口部４を排便口とする非常用トイレとした。
【００１２】
以下、この発明の重要な構成要素について更に説明する。
〔第１蓋部３、開口部４〕
第１蓋部３は、一般のマンホールの蓋に代えて設置するもので、外周部の形状はマンホールの蓋と同一に形成されている。
【００１３】
この第１蓋部３の中央部に、開口部４が形成されている。開口部４は要するに排便時の屎尿落下口であり、角を丸くした長方形に形成することが望ましい。この開口部４には、子供等の落下防止のために複数条の金具１１を設けるとよい。この金具１１は、格子状に設けてもよい。
【００１４】
なお、第１蓋部３の上面には、滑り止めのための凹凸を設けることが望ましい。
〔第２蓋部〕
第２蓋部１０は、開口部４を閉鎖するための蓋であり、第１蓋部３に着脱自在に設置される。
【００１５】
なお、本発明における蓋部は、開蓋することにより排便口が形成されるものであればよいので、前記第１蓋部３であっても、第１蓋部３に着脱される第２蓋部１０であってもよい。
【００１６】
また、蓋部（第１蓋部、第２蓋部）は強度を要するため鋳鉄が好適である。
〔遮蔽部５〕
遮蔽部５は、トイレ使用者を外部から隠蔽するためのものであり、柱部７、屋根部８、シート部９を含み、外観は円柱状または角柱状となっている。
〔支持部６〕
支持部５は、遮蔽部５の支持骨である柱部７を保持するためのものであり、蓋部（第１蓋部）３または路面１に設けられる。支持部５は、例えば、柱部７の下端部を内嵌する支持孔としてもよいし、あるいは、管状に形成した柱部７内に嵌合する突出片としてもよい。
〔柱部７〕
柱部７は、遮蔽部５の支持骨であって、第１蓋部３または路面１に設けられた支持孔（支持部）６に挿入することで固定される。柱部７の材質は金属製のパイプが好適である。
〔屋根部８〕
屋根部８は、遮蔽部５の頂部に位置しており、合成樹脂製のドーム、あるいは開閉式の雨傘と同様の構造で構成することができる。
〔シート部９〕
シート部９は遮蔽部５の外皮部分であって、例えば、布、合成樹脂製シート等で構成できる。
【００１７】
なお、人の出入りのために開閉するよう、シート部９の一部に開閉口を形成し、この開閉口をファスナーやマジックファスナーにて止めるようにするとよい。
本発明のマンホールは、平常時は、管路に作業員が出入等するための点検口として利用される。そして、本発明の非常用トイレは、下水道のマンホールにて実施することが好適である。
【００１８】
なお、非常用トイレの設置は、下水道のマンホールに限らず、例えば、屎尿専用の大規模タンクを地下に埋設し、このタンクに接続するマンホールに設置するようにしてもよい。
【００１９】
本発明の非常用トイレは、下水道等のマンホールの入口部に設置されるので、屎尿は直接マンホールから下水道等に落下するため、通常の簡易トイレのように屎尿タンクの容量により使用回数が制約されない。したがって、バキュームカー等による作業員のメンテナンスの必要なく、長期間使用することができる。
【００２０】
【発明の実施の形態】
以下、本発明の非常用トイレを図１〜図９に示される実施形態について更に詳細に説明する。
【００２１】
＜実施形態１＞
本発明の実施形態１を、図１〜図６に基づき説明する。
この非常用トイレは図５に示すように、公園内等の路面１に設けられたマンホール３０の上方に設置するものである。
【００２２】
マンホール３０の上部には、マンホールの蓋部を載置するための基台部２が設けられている。この基台部２は、路面１を舗装する際にマンホール３０に一体的に取り付けられるものである。
【００２３】
そして、前記基台部２上には、直径７０ｃｍ程度の円盤状の蓋部である第１蓋部３が嵌合されている。この第１蓋部３は鋳鉄にて形成され、その上面には滑り止めのための凹凸（図示せず）が形成されている。
【００２４】
第１蓋部３の中央部には、縦５０ｃｍ、横３０ｃｍ程度の長方形の開口部４が形成されている。この開口部４は、排便時に屎尿を落下させるための開口であり、角を丸くした長方形に形成することが望ましい。そして、開口部４には、子供等の使用者が落下するのを防止するために、２条の金具１１，１１が設けてある。  前記開口部４の周囲には顎部３ａが形成されており、トイレとして使用しないときには、この顎部３ａ上に、開口部４を閉鎖する第２蓋部１０が載置されている。この第２蓋部１０を設置することにより、第１蓋部３の上面は在来のマンホール蓋と同様に平面となる。なお、第２蓋部１０も鋳鉄により形成されており、また、第２蓋部１０には、取手１０ａ，１０ａが設けられている。さらに、第１蓋部３の端部には、支持部としての支持孔６が設けられている。
【００２５】
また、第１蓋部３及び第２蓋部１０には、平常時の悪戯等を防止するため、鍵機構を設け、管理者のみにより開蓋作業が行われるようにするとよい。
第１蓋部３の周囲には遮蔽部５が設置されている。この遮蔽部５は、トイレで用を足している人を隠蔽するためものであり、柱部７、屋根部８、シート部９から構成されている。
【００２６】
柱部７は図１に示すように、金属製のパイプを湾曲させて形成したもので、その下端は前記支持孔６に挿入されている。また、柱部７は、先端部７ｂ、中部７ｃ、基端部７ｄに分割可能に形成されており、平常時は、構成部品全体をコンパクトに収容できるようになっている。さらに、柱部７の上端には、パイプ挿入用の孔を有するポスト部７ａが設けられており、屋根部８全体を支承する支持パイプ８ａが上方から挿入できるようになっている。
【００２７】
前記支持パイプ８ａの中程には４本ないし８本の支持アーム８ｂの基端が軸支されており、支持アーム８ｂは外皮８ｃを支持している。これらパイプ８ａ、支持アーム８ｂ、及び外皮８ｃが屋根部８を構成している。
【００２８】
そして、前記屋根部８は開閉式の傘と同様の構造になっており開閉が可能で、開状態ではドーム状になる。
一方、柱部７の中部７ｃ下部にはＣ型の手摺１４が設けられている。これは手摺りとしての機能の他、遮蔽部５の補強の意味合いもある。この手摺１４は、中部７ｃに一体に設けられている手摺基部１４ｂと、この手摺基部１４ｂの左右両端にそれぞれ着脱可能に連設する手摺本体１４ａ，１４ａによって構成されている。すなわち、この手摺１４も、平常時には分解され、非常用トイレの収容をコンパクトにできる構成となっている。
【００２９】
また、本実施形態の非常用トイレには、柱部７が風等で回転してしまわないように、図６に示す回り止め機構が施されている。
すなわち、柱部７の基部には水平に孔部７ｂが穿設されており、ここにＬ字型に形成した鉄製の棒７ｃの一端が挿入されるようになっている。一方、第１蓋部３にはロック孔３ｂが形成されており、このロック孔３ｂ内に棒７ｃの他端が挿入されるようになっている。これにより、柱部７の回転が防止され、遮蔽部５が安定する。なお、柱部７の下端部を多角柱状に形成するとともに、支持孔６の内部を柱部７の下端形状に対応する多角形に形成して、柱部７の回転を防止するようにしてもよい。
【００３０】
前記屋根部８の周囲からは合成樹脂製のシート部９が垂下されている。このシート部９の下端は路面１に接触する位置にある。また、シート部９の一部は縦方向に分断されており、この部分はファスナー１５で接続されている。そして、ファスナー１５を開放した状態にて、トイレ使用者の遮蔽部５への出入ができるようになっている。また、シート部９の上部における、シート部９と屋根部８との接続部分には、編状の換気部９ａが設けてあり、遮蔽部５内の換気が行えるようになっている。
【００３１】
本実施の形態の非常用トイレは、平常時の収納部品としては、通常の簡易トイレの構成部品である、便器、床部、便槽（タンク）等の収納を必要とせず、遮蔽部５のみを収容しておくだけでよい。したがって、収納スペースは少なくて済み、また、収納部品は軽量かつ小さくなるため、運搬作業も容易に行うことができる。また、遮蔽部５を１本の支柱（柱部７）により支承するようにしたので、構成部品をさらにコンパクトにすることができた。
【００３２】
また、柱部７を支持する支持部６は第１蓋部３に設けたので、通常のマンホールの蓋を本発明の蓋部に交換するだけで、他に何等の工事も必要としないで、緊急時に備えることができる。そして、第１蓋部３側に取り付けられた柱部７の下端部を湾曲させることにより、トイレ使用中の使用者と遮蔽部５との距離がとれ、遮蔽部５内の空間を充分確保することができた。
【００３３】
そして、第２蓋部１０を取り付けた状態であれば、本発明の蓋部を通常のマンホール蓋として使用できるものであり、交通の支障にはならない。
また、排便は下水道２０を通って流れるため、在来の非常用トイレのような屎尿回収が不要であり、大震災等にも対応することができる。
【００３４】
さらに、本実施形態の非常用トイレは、トイレの床部が路面１と同一の高さとなるため、従来の簡易トイレのように、便槽の高さ分の階段を昇降する必要がないので、高齢者や障害者等にとっても使用し易いものとなった。
【００３５】
なお、本実施形態では、柱部７を１本のみで構成したが、２本以上の複数の柱により遮蔽部５を支持するようにしてもよいのは勿論である。この場合、柱部７の本数に対応させて、支持部６を複数設けるとよい。
＜実施形態２＞
本発明の実施形態２を図７及び図８に基づき説明する。
【００３６】
本実施形態は、柱部７を支持する支持孔６を、第１蓋部３上にではなく、第１蓋部３の外方の路面１側に埋設したものである。
このため、柱部７の下端部が第１蓋部３から離反することとなり（柱部７の下端部がマンホール３０から離れることになり）、柱部７を複雑に湾曲させる必要がなくなる。
【００３７】
その他の構成は、前記実施形態１と同一のため、説明を省略する。
＜実施形態３＞
本発明の実施形態３を、図９に基づき説明する。
【００３８】
本実施形態は、第１蓋部３にきんかくし１２を設けたものである。
開口部４の一端側には、図示するように、きんかくし１２が設けられている。
きんかくし１２は小便の跳ねを防止するとともに、トイレの前後を表徴する機能がある。
【００３９】
そして、きんかくし１２は金属または合成樹脂を板状に形成したものであり、その下端を軸１３で第１蓋部３に軸支してある。これにより、きんかくし１２は図９に示す、起立した状態から矢示Ｆ方向に折り畳みが可能となっている。折り畳んだ状態では、きんかくし１２が金具１１に当接した状態にて、顎部３ａよりも低位置となり、第２蓋部１０の載置に支障がないようになっている。
【００４０】
その他の構成は、前記実施形態１と同一のため、説明を省略する。
【００４１】
【発明の効果】
本発明によれば、下水道等に屎尿を直接排出するので、屎尿等の回収作業が不要であり、少ないメンテナンスにて長期間使用可能な災害用トイレを提供することができる。
【００４２】
また、便器、床部、便槽等の組立て作業を必要としないので、非常用トイレの設営及び撤去を簡易に行うことができる。
また、平常時の収納部品は、遮蔽部のみでよいので、収納部品を軽量かつコンパクトにすることができ、収納効率を向上できるとともに、運搬作業も容易となる。
【００４３】
さらに、本発明の非常トイレの設置には、遮蔽部を用意する他には、マンホールの蓋を取り替えるだけでよいので、低コストの災害用トイレを提供することができる。
【００４４】
また、トイレの床部が路面と同一高さであるため、使用者が容易に利用できる災害用トイレとすることが可能となる。
【図面の簡単な説明】
【図１】本発明の実施形態１の非常用トイレ全体の断面図である。
【図２】本発明の実施形態１の非常用トイレの図１のＡ−Ａ線における断面図である。
【図３】本発明の実施形態１の非常用トイレ全体を示す斜視図である。
【図４】本発明の実施形態１の非常用トイレの第１蓋部を示す斜視図である。
【図５】本発明の実施形態１の非常用トイレのマンホールへの設置状態を示す斜視図である。
【図６】本発明の実施形態１の非常用トイレにおける柱部分の蓋部への固定状態を示す断面図である。
【図７】本発明の実施形態２の非常用トイレ全体の断面図である。
【図８】本発明の実施形態２の非常用トイレの図７のＢ−Ｂ線における断面図である。
【図９】本発明の実施形態３の非常用トイレにおける、きんかくし部分の蓋部への取り付け状態を示す断面図である。
【符号の説明】
１  路面
２  マンホール
３  第１蓋部（蓋部）
４  開口部
５  遮蔽部
６  支持孔（支持部）
７  柱部
８  屋根部
９  シート部
１０  第２蓋部
１４  手摺
２０  下水道
３０  マンホール
３３  入口部
【図１】
0003853475.tif 000002
【図２】
0003853475.tif 000003
【図３】
0003853475.tif 000004
【図４】
0003853475.tif 000005
【図５】
0003853475.tif 000006
【図６】
0003853475.tif 000007
【図７】
0003853475.tif 000008
【図８】
0003853475.tif 000009
【図９】
0003853475.tif 000010